(57)【要約】      （修正有）【課題】コンクリート構築物の丸セパレータに取り付けた埋設コンに、下地材となるモルタルを塗り付けてタイルを安定した状態で剥落しにくい埋コンを提供する。【解決手段】モルタル素材で成る所定の大きさの埋コン本体２の片面に凹部３を設け、その凹部３内に、ナイロン等のエンジニアプラスチック素材で成る嵌合縁付き筒体６と支持棒８付きリング９と突部付き支柱とで成る丸枠状の係合フレーム４の上部を凹部３内に位置するとともに、その係合フレーム４の筒体６下部にネジ管を組み合わせた状態で、前記埋コン本体２に一体に埋設形成して成る構成の剥落防止用埋コン１とする。【選択図】図１
0003161096.tif 000002
【実用新案登録請求の範囲】
【請求項１】
モルタル素材で成る所定の大きさの埋コン本体の片面に凹部を設け、その凹部内に、エンジニアプラスチック素材による筒体と支持棒付きリングと突部付き支柱とで成る係合フレームの上部を位置するとともに、その係合フレームの筒体下部にネジ管を組み合わせた状態で前記埋コン本体内に一体に埋設形成して成る構成を特徴とする外壁タイル剥落防止用埋コン。
【請求項２】
前記する筒体の下部に嵌合縁を設けた請求項１に記載する外壁タイル剥落防止用埋コン。
【請求項３】
前記するネジ管が金属素材で成る請求項１又は請求項２に記載する外壁タイル剥落防止用埋コン。
【考案の詳細な説明】
【技術分野】
【０００１】  本考案は、コンクリート構築物における外壁タイルの剥落防止を効果的に得られる外壁タイル剥落防止埋コンに関する。
【背景技術】
【０００２】  従来、コンクリート構築物における外壁タイルの剥落を防止するための補助具として、モルタルの接着性を高めるために、コーン跡穴に埋設した表面に係止部を備えたモルタル接着補助具が提供されている。（例えば、特許文献１参照）【０００３】
【特許文献１】特開２０００−４５４８０
【考案が解決しようとする課題】
【０００４】  前記する特開２０００−４５４８０に開示される技術は、コンクリート構築物の外壁に塗るモルタルの接着性を高めるために、構築物壁面に残るコーン跡穴に埋設される埋栓部に、モルタルに係合するループ状またはフック状の係止部を備えたモルタル接着補助具の技術である。
【０００５】  しかしこのモルタル接着補助具は、コンクリートのコーン跡穴に埋設する埋栓部と前記するループ状の係止部を同一の樹脂素材により一体成形で成るものであるが、肝心のループ状またはフック状の係止部は数多く形成しているが、その係止部となるループの輪の径は約３〜４ｍｍ程度と極めて小さい上、フックにおいては先端に小さな点突部を設けたものであるので、モルタルを塗り付けても隅々まで均一に塗り込めにくいため、強い揺れや振動を受けた場合は剥落の恐れを招くモルタル接着補助具であった。
【０００６】  加えて、そのモルタルの上に、さらに外壁材のタイルを張り付けた場合はタイルの重量も加わるため、例えば、地震などのような強い揺れを受けた場合は下地材となるモルタルはもとよりタイルも剥がれ易く安定して強固に保持することができない。また補助具本体と数多くの係止部は樹脂等で一体形成する接着補助具であるのでコスト高となることは避けられないモルタル接着補助具であった。
【課題を解決するための手段】
【０００７】  本考案は従来の技術が持つモルタル接着補助具の欠点や不便を解消するために、請求項１においては、モルタル素材で成る所定の大きさの埋コン本体の片面に凹部を設け、その凹部内に、エンジニアプラスチック素材で成る筒体と支持棒付きリングと突部付き支柱とで成る係合フレームの上部を位置するとともに、その係合フレームの筒体下部にネジ管を組み合わせた状態で一体にして前記埋コン本体内に埋設形成して成る構成とすることで、外壁面に塗り付けるモルタルをしっかりと保持し、かつその上に取り付けるタイルも安定するものとする。
【０００８】  請求項２においては、前記する筒体の下部に嵌合縁を設けることで、ネジ管がズレたりしないで組み合わせられるものとする。
【０００９】  請求項３においては、前記するネジ管を金属素材にすることで、丸セパレータに強固に取り付けられるものとする。
【考案の効果】
【００１０】  本考案によるタイル剥落防止埋コンは、一方面には型枠のセパレータに取り付けられるネジ管を埋設しているので容易に丸セパレータに取り付けられる上、他方面の凹部内には、柔軟性を有するナイロン樹脂等のエンジニアプラスチックによる係合フレーム上部を位置した埋コンを形成するので、コンクリート構築物の外壁面に塗り付けたモルタルは凹部内の係合フレームを喰い込むように容易に塗布できるとともに、その上面に張り付けたタイルも安定した状態で取り付けられる剥落防止埋コンを提供する。
【００１１】  さらに前記する凹部内に位置した係合フレームは枠目が大きいのでモルタルをスピーディに塗り込め易く、かつ埋コン本体の外面と同一か少し下げた状態で本体からは突出していないので、外壁面とともにモルタルを塗る際でも素早く塗り込めて外壁面を均一にモルタルを塗り付けられる。
【００１２】  また、万一地震などにより外壁面に亀裂など起きても、モルタルに喰い込んでいるエンジニアプラスチック製の係合フレームが引き伸ばされて、モルタルやタイルの剥落を防止できる特徴的な作用を得るタイル剥落防止埋コンであり、構成的にも係合部材はシンプルでコストも安価に製造できる埋コンである。
【図面の簡単な説明】
【００１３】
【図１】本考案によるタイル剥落防止埋コンの実施形態を示す斜視図である。
【図２】本考案による埋コン本体に半埋設する係合フレームを示す斜視図である。
【図３】本考案におけるタイル剥落防止埋コンを示すＡ−Ａ線拡大断面図である。
【図４】タイル剥落防止埋コンを用いて形成した型枠にコンクリートを打設した状態を示す参考図である。
【図５】型枠を取り外したタイル剥落防止埋コンの外壁面にモルタルを塗った状態を示す参考図である。
【図６】タイル剥落防止埋コンの上に塗ったモルタルにタイルを張り付けた状態を示す参考図である。
【図７】タイル剥落防止埋コンを用いたタイル外装張り構築物が、地震など強い揺れを受けて亀裂が生じた時の状態を示す参考図である。
【考案を実施するための最良の形態】
【００１４】  本考案によるタイル剥落防止埋コンの実施形態を、図１に示す斜視図と図２に示す係合フレーム、図３に示す剥落防止埋コンのＡ−Ａ線拡大断面図及び図４〜図７に示す使用状態参考図で説明する。【００１５】  本考案におけるタイル剥落防止埋コン１を形成する埋コン本体２はモルタル素材とし、その大きさは高さ約３０ｍｍで径４５ｍｍ程度の円柱状を成す片面の中ほどに、深さ約８ｍｍで径３５ｍｍほどの凹部３を形成した内側及び内部に、ナイロン樹脂等のエンジニアプラスチック素材（以下、エンジニアプラスチックと称す）による係合フレーム４を半埋設し、かつ対向側に金属製のネジ管５を埋設したタイル剥落防止埋コン１とする。【００１６】  以下、さらに詳述する。前記する埋コン本体２に埋設する係合フレーム４は、細くても丈夫でかつ適度な柔軟性を有するエンジニアプラスチック素材により、図２に示すように高さ約８ｍｍで径１２ｍｍほどの筒体６下部に、一回り大きい嵌合縁７を有する前記筒体６の上端部から四方に延長する支持棒８，８を設けた端部に、径が約３０ｍｍ程度のリング９を設けるとともに、そのリング９の四か所の連結部から下部に延長する支柱１０，１０端部に突部１１を設けて成る係合フレーム４を一体形成して成るものである。【００１７】  以上のような係合フレーム４を、前記モルタル素材による埋コン本体２の凹部３内に半埋設するとともに、その反対側には、型枠形成時の丸セパレータＡに取り付けるための金属製のネジ管１２を、前記係合フレーム４の筒体６下部の嵌合縁７に組み合わせた状態で埋コン本体２内に一体に埋設して、本考案によるタイル剥落防止埋コン１を構成する。尚、前記するネジ管は金属素材であるが強度があれば合成樹脂製でも差し支えないし、また埋コン本体２の外形は円柱状であるが、台形でも逆台形状でも構わないものとする。【００１８】  本考案によるタイル剥落防止埋コン１は以上のような構成とするので、埋コン本体２はコンクリートに馴染むモルタル製とするとともに、その片面に設けた凹部３には、細くても丈夫でかつ柔軟性を有するナイロン樹脂等のエンジニアプラスチック素材による丸枠状の係合フレーム４であるとともに、そのリング９下部には、突部１１付き支柱１０を半埋設して、前記凹部３内に係合フレーム４の上部を位置させているので、例えば、強く引っ張られて伸びても埋コン本体２から分離することはない。【００１９】  また係合フレーム４の筒体６下部の嵌合縁７には、丸セパレータＡに螺合するネジ管１２を組み合わせて一体に埋設しているので、型枠形成時の丸セパレータＡに取り付けるのも容易な構成であり、例えば、極めて強い地震を受けてコンクリート外壁面やモルタルに亀裂が起った場合でも、図７に示すようにタイルＢやモルタルＦ壁が万一剥がれても、係合フレーム４が引き伸ばされながらもタイルＢを保持するので、剥離して落下するのを最小限にとどめられるタイル剥落防止埋コン１を形成する。【００２０】  次に、以上のようなタイル剥落防止埋コン１を用いて構築物を施工する方法を、以下図４〜図７に示す取り付け使用状態参考図で説明する。まずコンクリート構築物を施工する際の型枠Ｃ形成時に用いる丸セパレータＡに、図４に示すように本考案���タイル剥落防止埋コン１を取り付けて後、図４のように軸足Ｇや締め付け具Ｅを用いて固定して後にコンクリートＤを打設し、硬化後は締め付け具Ｅや軸足Ｇや型枠Ｃを取り外した構築物の表面に、図５に示すように外壁面及とともにタイル剥落防止埋コン１の凹部３内までモルタルＦを均一に塗って平滑にし、図６のように順次、タイルＢを取り付けることで美しいタイル外装構築物を完成できる。【００２１】  本考案におけるタイル剥落防止埋コン１の素材はモルタル素材が好ましいが、埋コン本体も含めて合成樹脂製でもよい。また係合フレーム４の形状は丸枠状であるが角枠状でも差し支えないし、柔軟性があればナイロン素材以外いずれのエンジニアプラスチックでも構わないなど、いずれも特に限定するものではない。
【符号の説明】
【００２２】１  タイル剥落防止埋コン
２  埋コン本体
３  凹部
４  係合フレーム
５  ネジ管
６  筒体
７  嵌合縁
８  支持棒
９  リング
１０  支柱
１１  突部
１２  ネジ管
Ａ  丸セパレータ
Ｂ  タイル
Ｃ  型枠
Ｄ  コンクリート
Ｅ  締め付け具
Ｆ  モルタル
Ｇ  軸足
【図１】
0003161096.tif 000003
【図２】
0003161096.tif 000004
【図３】
0003161096.tif 000005
【図４】
0003161096.tif 000006
【図５】
0003161096.tif 000007
【図６】
0003161096.tif 000008
【図７】
0003161096.tif 000009